(57)【特許請求の範囲】
【請求項１】
インターネットに接続されるとともに公衆交換電話網に接続されるインターネットファクシミリ装置において、
スキャナから取得した画像情報を電子メールに変換して前記インターネットを経由して相手先に送信する第１の機能、前記インターネットを経由して受信した電子メールをプリントアウトする第２の機能、前記インターネットを経由して受信した電子メールを画情報に変換して前記公衆交換電話網を経由して相手先に送信する第３の機能、前記公衆交換電話網を経由して受信した画情報を電子メールに変換して前記インターネットを経由して相手先に送信する第４の機能の内、少なくとも２つの機能を実行するように制御する制御手段と、
前記制御手段で実行される複数の機能を個別に有効若しくは無効に設定する設定手段と、
前記制御手段により制御される機能が前記設定手段により無効に設定された場合に、該無効に設定された機能に対応するリストを出力するリスト出力手段と
を具備することを特徴とするインターネットファクシミリ装置。
【請求項２】
前記リスト出力手段は、
前記設定手段により無効に設定された機能に対応して短縮ダイヤルが設定されているときは、該短縮ダイヤルのアドレスリストを出力する
ことを特徴とする請求項１記載のインターネットファクシミリ装置。
【請求項３】
前記リスト出力手段は、
前記設定手段により無効に設定された機能に対応して実行待ちジョブが存在するときは、該実行待ちジョブのリストを出力する
ことを特徴とする請求項１記載のインターネットファクシミリ装置。
【請求項４】
インターネットに接続されるとともに公衆交換電話網に接続されるインターネットファクシミリ装置の制御方法において、
スキャナから取得した画像情報を電子メールに変換して前記インターネットを経由して相手先に送信する第１の機能、前記インターネットを経由して受信した電子メールをプリントアウトする第２の機能、前記インターネットを経由して受信した電子メールを画情報に変換して前記公衆交換電話網を経由して相手先に送信する第３の機能、前記公衆交換電話網を経由して受信した画情報を電子メールに変換して前記インターネットを経由して相手先に送信する第４の機能の内、少なくとも２つの機能を、各機能別に独立に有効若しくは無効に設定し、
前記複数の機能の内、ある機能が無効に設定された場合に、該無効に設定された機能に対応するリストを出力する
ことを特徴とするインターネットファクシミリ装置の制御方法。
【請求項５】
前記複数の機能の内、ある機能が無効に設定された場合に、該無効に設定された機能に対応して短縮ダイヤルが設定されているときは、該短縮ダイヤルのアドレスリストを出力する
ことを特徴とする請求項４記載のインターネットファクシミリ装置の制御方法。
【請求項６】
前記複数の機能の内、ある機能が無効に設定された場合に、該無効に設定された機能に対応して実行待ちジョブが存在するときは、該実行待ちジョブのリストを出力する
ことを特徴とする請求項４記載のインターネットファクシミリ装置の制御方法。
【発明の詳細な説明】
【０００１】
【発明の属する技術分野】
本発明は、インターネットファクシミリ装置およびその制御方法に関し、特に、インターネットＦＡＸ機能の各種機能を個別に独立して有効若しくは無効に設定できるようにしたインターネットファクシミリ装置およびその制御方法に関する。
【０００２】
【従来の技術】
従来、Ｌｏｃａｌ  Ａｒｅａ  Ｎｅｔｗｏｒｋ（以下、これをＬＡＮという）上およびインターネットと接続してデータのやりとりを行うインターネットＦＡＸ機能と公衆交換電話網（以下、これをＰＳＴＮという）を経由して通常のファクシミリメッセージ送受信を行うＦＡＸ機能を有するインターネットファクシミリ装置が実用されている。
【０００３】
このようなインターネットファクシミリ装置を利用して、遠隔地間の画情報のやりとりをインターネット上で行うことが可能なので、通信コストを大幅に削減することができる。
【０００４】
【発明が解決しようとする課題】
ところで、この種のインターネットファクシミリ装置においては、
１）スキャナから取得した画情報を電子メールに変換して相手先に送信するＳｃａｎ  ｔｏ  Ｅｍａｉｌ機能
２）受信した電子メールをプリントアウトするＥｍａｉｌ  ｔｏ  Ｐｒｉｎｔ機能
３）受信した電子メールを画情報に変換して相手先に送信するＥｍａｉｌ  ｔｏ  ＦＡＸ機能
４）受信した画情報を電子メールに変換して相手先に送信するＦＡＸ  ｔｏ  Ｅｍａｉｌ機能
等の複数の機能が実現できる。
【０００５】
しかし、インターネットファクシミリ装置の使用上の制限、通信管理等の理由からこれら機能を独立して有効若しくは無効に設定することを可能にする要求がある。
【０００６】
また、例えば、インターネットファクシミリ装置が有するＥｍａｉｌ  ｔｏ  ＦＡＸ機能、ＦＡＸ  ｔｏ  Ｅｍａｉｌ機能等のインターネットＦＡＸ機能を無効に設定した場合、このインターネットＦＡＸ機能を使用したジョブの中に実行待ちになっているジョブが存在すると、これらのジョブは一度実行を開始して異常終了してしまうことになり、この場合、ユーザーはジョブログ等で確認すればインターネットＦＡＸ機能を無効に設定したことが原因で異常終了したということを確認することができるが、インターネットＦＡＸ機能を無効に設定したときに、実行不可になったジョブおよびこの無効に設定した機能に関連する短縮ダイヤル等の情報を確認することはできない。
【０００７】
そこで、この発明は、インターネットファクシミリ装置が有する各種機能を個別に独立して有効若しくは無効に設定できるようにしたインターネットファクシミリ装置およびその制御方法を提供することを目的とする。
【０００８】
また、この発明は、インターネットファクシミリ装置が有する各種機能を個別に独立して有効若しくは無効に設定した場合における使用不能若しくは参照不能になった情報を確認できるようにしたインターネットファクシミリ装置およびその制御方法を提供することを目的とする。
【０００９】
【課題を解決するための手段】
上記目的を達成するため、請求項１の発明は、インターネットに接続されるとともに公衆交換電話網に接続されるインターネットファクシミリ装置において、スキャナから取得した画像情報を電子メールに変換して前記インターネットを経由して相手先に送信する第１の機能、前記インターネットを経由して受信した電子メールをプリントアウトする第２の機能、前記インターネットを経由して受信した電子メールを画情報に変換して前記公衆交換電話網を経由して相手先に送信する第３の機能、前記公衆交換電話網を経由して受信した画情報を電子メールに変換して前記インターネットを経由して相手先に送信する第４の機能の内、少なくとも２つの機能を実行するように制御する制御手段と、前記制御手段で実行される複数の機能を個別に有効若しくは無効に設定する設定手段と、前記制御手段により制御される機能が前記設定手段により無効に設定された場合に、該無効に設定された機能に対応するリストを出力するリスト出力手段とを具備することを特徴とする。
【００１０】
ここで、第１の機能乃至第４の機能を全て実行できなくてもよく、第１の機能乃至第４の機能から、少なくとも２つの機能が実行できればよい。
【００１１】
また、請求項２の発明は、請求項１の発明において、前記リスト出力手段は、前記設定手段により無効に設定された機能に対応して短縮ダイヤルが設定されているときは、該短縮ダイヤルのアドレスリストを出力することを特徴とする。
【００１２】
また、請求項３の発明は、請求項１の発明において、前記リスト出力手段は、前記設定手段により無効に設定された機能に対応して実行待ちジョブが存在するときは、該実行待ちジョブのリストを出力することを特徴とする。
【００１３】
また、請求項４の発明は、インターネットに接続されるとともに公衆交換電話網に接続されるインターネットファクシミリ装置の制御方法において、スキャナから取得した画像情報を電子メールに変換して前記インターネットを経由して相手先に送信する第１の機能、前記インターネットを経由して受信した電子メールをプリントアウトする第２の機能、前記インターネットを経由して受信した電子メールを画情報に変換して前記公衆交換電話網を経由して相手先に送信する第３の機能、前記公衆交換電話網を経由して受信した画情報を電子メールに変換して前記インターネットを経由して相手先に送信する第４の機能の内、少なくとも２つの機能を、各機能別に独立に有効若しくは無効に設定し、前記複数の機能の内、ある機能が無効に設定された場合に、該無効に設定された機能に対応するリストを出力することを特徴とする。
【００１４】
また、請求項５の発明は、請求項４の発明において、前記複数の機能の内、ある機能が無効に設定された場合に、該無効に設定された機能に対応して短縮ダイヤルが設定されているときは、該短縮ダイヤルのアドレスリストを出力することを特徴とする。
【００１５】
また、請求項６の発明は、請求項４の発明において、前記複数の機能の内、ある機能が無効に設定された場合に、該無効に設定された機能に対応して実行待ちジョブが存在するときは、該実行待ちジョブのリストを出力することを特徴とする。
【００２０】
【発明の実施の形態】
以下、本発明に係わるインターネットファクシミリ装置およびその制御方法の実施の形態について添付図面を参照して詳細に説明する。
【００２１】
図１は、本発明に係わるインターネットファクシミリ装置のシステム構成を示す図である。
【００２２】
図１に示すように、このインターネットファクシミリ装置は装置全体の制御処理を行うＣＰＵ１０１、装置の制御プログラムを格納する記憶装置１０２、使用者が装置を操作するために使用する操作表示装置１０３、送信原稿を読み取る読取装置１０４、受信画像等を記録紙に印字する印字装置１０５、画像に対して符号化、復号化、拡大、縮小等の処理を行う画像処理装置１０６、受信若しくは送信画像を格納する画像蓄積装置１０７、インターネットファクシミリ全体を制御するプログラム（ＲＯＭ）を有するシステム制御部１０８、電話網に適した通信を制御するための通信制御部１０９、ネットワークに接続する通信を制御するためのネットワーク制御部１１０、網へ接続するための網制御装置１１１、低速モードと高速モード機能を備えた変復調装置であるモデム１１２、Ｅｔｈｅｒｎｅｔに接続するためのＥｔｈｅｒｎｅｔ  Ｉ／Ｆ１１３、各装置間で相互にデータのやり取りをするためのシステムバス１１４、複数の外部回線インタフェースと複数の内部通信回路とを切換接続する回線切換え制御装置１１５を備えて構成される。
【００２３】
上記各構成部のうち、ＣＰＵ１０１〜網制御装置１１１および回線切換え制御装置１１５が、上記システムバス１１４を経由して接続され、相互にデータの送受を行っている。更に、ファクシミリからの受信のためのモデム１２とＥｔｈｅｒｎｅｔ  Ｉ／Ｆ１１３を具有している。
【００２４】
図２は、本発明に係わるインターネットファクシミリ装置２０５を含む通信システムの構成を示す図である。
【００２５】
図２に示すように、この通信システムはＬＡＮ２０１、ルータ２０２、ＬＡＮ２０１にネットワーク端末として接続されたメールサーバ２０３、ＰＣ（パーソナルコンピュータ）ａ２０４ａ、ＰＣｂ２０４ｂ、インターネットファクシミリ装置２０５から構成されている。
【００２６】
メールサーバ２０３は各ネットワーク端末のＰＣａ２０４ａ、ＰＣｂ２０４ｂ、インターネットファクシミリ２０５にとってのＰＯＰ（Ｐｏｓｔ  Ｏｆｆｉｃｅ  Ｐｒｏｔｏｃｏｌ）サーバとして、各ネットワーク端末からの要求に応じて受信および蓄積している該ネットワーク端末宛ての電子メール配信し、該ネットワーク端末から送信された電子メールを中継して宛先に配信する。
【００２７】
またＬＡＮ２０１はルータ２０２を経由してインターネット２０６へ接続され、他のＬＡＮ等に接続されているホスト装置間で様々なデータのやりとりが可能である。
【００２８】
このインターネットファクシミリ装置２０５はＰＳＴＮ２０７と接続し、他の通常のファクシミリ装置ａ２０８ａ若しくはファクシミリ装置ｂ２０８ｂと通常のファクシミリメッセージ送受信が可能である。
【００２９】
次に、本発明に係わるインターネットファクシミリ装置が提供する主な４つの機能について、図３乃至図６を参照して説明する。なお、図４乃至図６においては説明の便宜上、図３と同様の機能を有する部分には図３で用いた符合と同一の符号を付する。
【００３０】
図３乃至図６に示すように、この通信システムはＬＡＮ３０１、ルータ３０２、ＬＡＮ３０１にネットワーク端末として接続されたメールサーバ３０３、ＰＣ３０４、インターネットファクシミリ装置３０５から構成されている。
【００３１】
ＬＡＮ３０１はルータ３０２を経由してインターネット３０６へ接続され、他のＬＡＮ等に接続されているホスト装置間で様々なデータのやりとりが可能である。
【００３２】
また、インターネットファクシミリ装置３０５はＰＳＴＮ３０７と接続し、通常のファクシミリメッセージ送受信が可能である。
【００３３】
図３は、本発明に係わるインターネットファクシミリ装置３０５が有するＳｃａｎ  Ｔｏ  Ｅｍａｉｌ機能の構成を示す図である。
【００３４】
Ｓｃａｎ  Ｔｏ  Ｅｍａｉｌ機能とは、インターネットファクシミリ装置３０５でＳｃａｎしたファクシミリ文書３０９をＥｍａｉｌ３０８に変換してＬＡＮ３０１若しくはインターネット３０６等を経由して送信することである。
【００３５】
図４は、本発明に係わるインターネットファクシミリ装置３０５が有するＥｍａｉｌ  Ｔｏ  Ｐｒｉｎｔ機能の構成を示す図である。
【００３６】
Ｅｍａｉｌ  Ｔｏ  Ｐｒｉｎｔ機能とは、ＬＡＮ３０１若しくはインターネット３０６等を経由して届く様々なＥｍａｉｌ３０８を受信し、インターネットファクシミリ装置３０５でＥｍａｉｌ３０８をファクシミリ文書３０９に変換してプリント出力することである。
【００３７】
図５は、本発明に係わるインターネットファクシミリ装置３０５が有するＥｍａｉｌ  Ｔｏ  ＦＡＸ機能の構成を示す図である。
【００３８】
Ｅｍａｉｌ  Ｔｏ  ＦＡＸ機能とは、インターネットファクシミリ装置３０５がＬＡＮ３０１若しくはインターネット３０６等を経由して届く様々なＥｍａｉｌ３０８を受信し、インターネットファクシミリ装置３０５でＥｍａｉｌ３０８をファクシミリ文書３０９に変換して、ファクシミリ転送指示が付いている際にはＰＳＴＮ３０７を経由してファクシミリ装置３１０にファクシミリ転送することである。
【００３９】
図６は、本発明に係わるインターネットファクシミリ装置３０５が有するＦＡＸ  Ｔｏ  Ｅｍａｉｌ機能の構成を示す図である。
【００４０】
ＦＡＸ  Ｔｏ  Ｅｍａｉｌ機能とは、インターネットファクシミリ装置３０５がＰＳＴＮ３０７を経由して届く様々なファクシミリ文書３０９を受信し、インターネットファクシミリ装置３０５でファクシミリ文書３０９をＥｍａｉｌ３０８に変換して、Ｅｍａｉｌ転送指示が付いている際にはＬＡＮ３０１若しくはインターネット３０６等を経由してＰＣ３０４にＥｍａｉｌ転送することである。
【００４１】
ここで、本発明に係わるインターネットファクシミリ装置は、上記インターネットファクシミリ装置が提供する各種インターネットＦＡＸ機能の有効若しくは無効を設定することができるように構成されている。
【００４２】
図７は、上記インターネットファクシミリ装置が提供する各種インターネットＦＡＸ機能の有効若しくは無効を設定するためのパスワード入力画面の一例を示す図である。
【００４３】
ここで、インターネットファクシミリ装置管理者若しくはユーザは、インターネットファクシミリ装置が提供する各種インターネットＦＡＸ機能の有効若しくは無効を設定するために、パスワードを入力しなければならない。
【００４４】
これは他のユーザーが勝手にインターネットＦＡＸ機能を設定できないようにするためである。このパスワードの管理は図１のシステム制御部１０８で行われている。そして、正しい管理者パスワードを入力すると、図８が示す設定画面が表示される。
【００４５】
図８は、本発明に係わるインターネットファクシミリ装置のインターネットＦＡＸ機能が有効に設定してある画面の一構例を示す図である。
【００４６】
この画面において、インターネットＦＡＸ機能を有効にする場合は、有効表示部を押すことで有効に設定でき、インターネットＦＡＸ機能が有効に設定されると、その有効表示部がハイライト表示になる。そして、このインターネットＦＡＸ機能の有効は、図１のシステム制御部１０８に記録される。
【００４７】
ここで、インターネットＦＡＸ機能を有効にしている場合、上記説明したＳｃａｎ  Ｔｏ  Ｅｍａｉｌ機能、Ｅｍａｉｌ  Ｔｏ  Ｐｒｉｎｔ機能、ＥｍａｉｌＴｏ  ＦＡＸ機能、ＦＡＸ  Ｔｏ  Ｅｍａｉｌ機能を個別に有効若しくは無効に設定することができる。
【００４８】
例えば、ここでは、Ｓｃａｎ  Ｔｏ  Ｅｍａｉｌ機能、Ｅｍａｉｌ  Ｔｏ  ＦＡＸ機能、ＦＡＸ  Ｔｏ  Ｅｍａｉｌ機能が有効になっているので、この３つの機能の表示部がハイライト表示になっている。また、Ｅｍａｉｌ  Ｔｏ  Ｐｒｉｎｔ機能が無効になっているので、この、Ｅｍａｉｌ  Ｔｏ  Ｐｒｉｎｔ機能の表示部がグレイ表示になっている。
【００４９】
ここでＥｍａｉｌ  Ｔｏ  Ｐｒｉｎｔ機能を有効にしたい場合は、ＥｍａｉｌＴｏ  Ｐｒｉｎｔ表示部を押すことでハイライト表示になり、Ｅｍａｉｌ  Ｔｏ  Ｐｒｉｎｔ機能は有効になる。逆に、Ｓｃａｎ  Ｔｏ  Ｅｍａｉｌ機能を無効にしたい場合は、Ｓｃａｎ  Ｔｏ  Ｅｍａｉｌ表示部を押すことでグレイ表示になり、Ｓｃａｎ  Ｔｏ  Ｅｍａｉｌ機能は無効になる。この画面で行った設定は図１のシステム制御部１０８に記録される。
【００５０】
また、この設定画面の次ページを押すことによって、インターネットＦＡＸ機能のその他の設定を入力できる設定画面が展開するように構成されている。
【００５１】
また、インターネットＦＡＸ機能を無効に設定する場合は無効表示部を押すことによって図９が示す設定画面が表示される。
【００５２】
図９は、本発明に係わるインターネットファクシミリ装置のインターネットＦＡＸ機能が無効に設定してある画面の一構成例を示す図である。
【００５３】
インターネットＦＡＸ機能を無効にした場合、インターネットＦＡＸ機能が有するＳｃａｎ  Ｔｏ  Ｅｍａｉｌ機能、Ｅｍａｉｌ  Ｔｏ  Ｐｒｉｎｔ機能、Ｅｍａｉｌ  Ｔｏ  ＦＡＸ機能、ＦＡＸ  Ｔｏ  Ｅｍａｉｌ機能は実行不可能になるため、設定画面には表示されない。これにより、インターネットＦＡＸ機能を無効にした時は、上記４つの機能を有効若しくは無効に設定することができなくなる。
【００５４】
ここで、インターネットＦＡＸ機能を無効にした場合、インターネットＦＡＸ機能に対応した短縮ダイヤルは使用不可となる。
【００５５】
そこで、図１のシステム制御部１０８は、インターネットＦＡＸ機能に対応した短縮ダイヤルの登録リストを出力するように指示する。
【００５６】
図１０は、上記処理により出力されるインターネットＦＡＸ機能に対応した短縮ダイヤルの登録リストの出力例である。
【００５７】
この登録リストには、各短縮ダイヤルに対応する相手先名称および相手先の電子メールアドレスが記録されている。
【００５８】
インターネットＦＡＸ機能を無効に設定した場合、図１０に示す短縮ダイヤルの登録リストが出力することで、管理者及びユーザーはインターネットＦＡＸ機能が無効に設定されることで使用不可となったインターネットＦＡＸ機能に対応した短縮ダイヤルのアドレスを確認することができる。
【００５９】
また、インターネットＦＡＸ機能を無効にした時、インターネットＦＡＸ機能に対応した実行待ちのジョブは実行不可能になってしまう。
【００６０】
そこで、、図１のシステム制御部１０８は、実行待ちのジョブリストを出力するように指示する。
【００６１】
図１１は、上記処理により出力されるインターネットＦＡＸ機能に対応した実行待ちジョブリストの出力例である。
【００６２】
この実行待ちジョブリストには各実行待ちジョブに対応する日付、時刻、相手先名称、通信機能、送信枚数、通信結果、文書番号が記録されている。
【００６３】
インターネットＦＡＸ機能を無効に設定した場合、図１１に示す実行待ちジョブリストが出力するとで、管理者及びユーザーは無効の設定により実行不可となったジョブを確認することができる。
【００６４】
また、ユーザーは本発明に係わるインターネットファクシミリ装置の操作表示装置の表示部１０３で、インターネットＦＡＸ機能の設定及びインターネットＦＡＸ機能が有する４つの機能の設定を確認することができる。
【００６５】
図１２は、図１に示すインターネットファクシミリ装置の操作表示装置に表示されるＦＡＸ機能の設定画面の一構成例を示す図である。
【００６６】
この構成例では、ユーザーが画質、原稿の種類、送信濃度をこの設定画面で設定することができることを示している。この設定画面の次ページを押すことによって、ＦＡＸ機能のその他の設定を入力できる設定画面が展開するように構成されている。
【００６７】
ここで、図１２が示すＦＡＸ機能の設定画面でインターネットＦＡＸ機能表示部を押すと、図１３が示すインターネットＦＡＸ機能の設定画面が表示される。
【００６８】
図１３は、本発明に係わるインターネットファクシミリ装置におけるインターネットＦＡＸ機能が有効になっている場合の設定画面の一構成例を示す図である。
【００６９】
この構成例では、インターネットＦＡＸ機能が有効になっていて、Ｓｃａｎ  Ｔｏ  Ｅｍａｉｌ機能、Ｅｍａｉｌ  Ｔｏ  ＦＡＸ機能、ＦＡＸ  Ｔｏ  Ｅｍａｉｌ機能の表示部がグレイ表示になっているので、これら３つの機能は有効になっていることを示している。また、Ｅｍａｉｌ  Ｔｏ  Ｐｒｉｎｔ機能の表示部はグレイ表示になっていないため、Ｅｍａｉｌ  Ｔｏ  Ｐｒｉｎｔ機能は無効になっている。
【００７０】
ユーザーは各機能の表示部がグレイ表示になっているか否かを確認することで、各機能の有効若しくは無効の設定を確認することができる。ただし、この設定画面は各機能の設定を表示するだけなので、ユーザーがこの設定画面から各機能の有効若しくは無効の設定をすることはできない。
【００７１】
また、インターネットＦＡＸ機能が無効になっている場合、図１２が示すＦＡＸ機能の設定画面でインターネットＦＡＸ機能表示部を押すと、図１４が示すインターネットＦＡＸ機能の設定確認画面が表示される。
【００７２】
図１４は、本発明に係わるインターネットファクシミリ装置におけるインターネットＦＡＸ機能が無効になっている場合の設定画面の一構成例を示す図である。
【００７３】
この構成例では、「インターネットＦＡＸ機能が無効になっています」が表示されていて、ユーザーはインターネットＦＡＸ機能が無効になっていることを確認できる。
【００７４】
【発明の効果】
以上説明したように本発明によれば、インターネットファクシミリ装置が有する各種機能を個別に有効若しくは無効に設定でき、装置の管理が容易になるという効果を奏する。
【図面の簡単な説明】
【図１】本発明に係わるインターネットファクシミリ装置のシステム構成を示す図である。
【図２】本発明に係わるインターネットファクシミリ装置を含む通信システムの構成を示す図である。
【図３】本発明に係わるインターネットファクシミリ装置が有するＳｃａｎ  Ｔｏ  Ｅｍａｉｌ機能の構成を示す図である。
【図４】本発明に係わるインターネットファクシミリ装置が有するＥｍａｉｌ  Ｔｏ  Ｐｒｉｎｔ機能の構成を示す図である。
【図５】本発明に係わるインターネットファクシミリ装置が有するＥｍａｉｌ  Ｔｏ  ＦＡＸ機能の構成を示す図である。
【図６】本発明に係わるインターネットファクシミリ装置が有するＦＡＸ  Ｔｏ  Ｅｍａｉｌ機能の構成を示す図である。
【図７】本発明に係わるインターネットファクシミリ装置のインターネットＦＡＸ機能が有効に設定してある画面の一構成例を示す図である。
【図８】本発明に係わるインターネットファクシミリ装置のインターネットＦＡＸ機能が有効に設定してある画面の一構成例を示す図である。
【図９】本発明に係わるインターネットファクシミリ装置のインターネットＦＡＸ機能が無効に設定してある画面の一構成例を示す図である。
【図１０】インターネットＦＡＸ機能に対応した設定がされている短縮ダイヤルの登録リストの出力例である。
【図１１】インターネットＦＡＸ機能に対応した設定がされている実行待ちのジョブリストの出力例である。
【図１２】図１に示すインターネットファクシミリ装置の操作表示装置に表示されるＦＡＸ機能の設定画面の一構成例を示す図である。
【図１３】本発明に係わるインターネットファクシミリ装置におけるインターネットＦＡＸ機能が有効になっている場合の設定画面の一構成例を示す図である。
【図１４】本発明に係わるインターネットファクシミリ装置におけるインターネットＦＡＸ機能が無効になっている場合の設定画面の一構成例を示す図である。
【符号の説明】
１０１    ＣＰＵ
１０２    記憶装置
１０３    操作表示装置
１０４    読取装置
１０５    印字装置
１０６    画像処理装置
１０７    画像蓄積装置
１０８    システム制御部
１０９    通信制御部
１１０    ネットワーク制御部
１１１    網制御装置
１１２    モデム
１１３    Ｅｔｈｅｒｎｅｔ  Ｉ／Ｆ
１１４    システムバス
１１５    回線切換え制御装置
２０１    ＬＡＮ
２０２    ルータ
２０３    メールサーバ
２０４ａ  ＰＣａ
２０４ｂ  ＰＣｂ
２０５    インターネットファクシミリ装置
２０６    インターネット
２０７    ＰＳＴＮ
２０８ａ  ファクシミリ装置ａ
２０８ｂ  ファクシミリ装置ｂ
３０１    ＬＡＮ
３０２    ルータ
３０３    メールサーバ
３０４    ＰＣ
３０５    インターネットファクシミリ装置
３０６    インターネット
３０７    ＰＳＴＮ
３０８    Ｅｍａｉｌ
３０９    ファクシミリ文書
３１０    ファクシミリ装置
【図１】
0003788235.tif 000002
【図２】
0003788235.tif 000003
【図３】
0003788235.tif 000004
【図４】
0003788235.tif 000005
【図５】
0003788235.tif 000006
【図６】
0003788235.tif 000007
【図７】
0003788235.tif 000008
【図８】
0003788235.tif 000009
【図９】
0003788235.tif 000010
【図１０】
0003788235.tif 000011
【図１１】
0003788235.tif 000012
【図１２】
0003788235.tif 000013
【図１３】
0003788235.tif 000014
【図１４】
0003788235.tif 000015